(57)【特許請求の範囲】
【請求項１】
被試験器に対して複数の試験項目の試験を行う試験装置と、
前記被試験器と前記試験装置とを接続する複数の試験用ケーブルと、を有する試験システムであって、
前記複数の各試験用ケーブルに装着され、各試験用ケーブルを識別するための識別情報を記憶した記憶媒体と、
前記複数の各試験用ケーブルに装着された前記記憶媒体から、前記識別情報を読み取る読み取り装置と、
前記読み取り装置により読み取られた前記識別情報に基づいて生成した前記複数の各試験用ケーブルの有無情報と、前記複数の各試験項目で使用する試験用ケーブルの識別情報とを照合し、前記複数の各試験項目で使用する試験用ケーブルの有無状況を判断する試験用ケーブル有無判断部と、
前記試験用ケーブル有無判断部の結果に基づいて、前記複数の各試験項目で使用する試験用ケーブルのうち、第１の試験用ケーブルがない場合は、前記被試験器の試験の前記複数の試験項目を試験画面に表示して作業者に試験項目の選択を促すための試験項目選択列の前記第１の試験用ケーブルを使用する試験項目に、前記第１の試験用ケーブルがないことを示す記号を表示する試験用ケーブル無表示部と、
前記試験用ケーブル無表示部で表示された前記試験項目選択列の前記記号が前記作業者により選択・実行されることで、前記被試験器と前記試験装置との間を接続する前記第１の試験用ケーブルが未接続状態であることと、前記被試験器と前記試験装置との間を接続する前記第１の試験用ケーブル以外の他の試験用ケーブルが接続状態であることと、前記第１の試験用ケーブルが未接続状態から接続状態へ移行したことを示す接続図を表示する接続図更新部と、を有し、
前記接続図更新部は、未接続状態の前記第１の試験用ケーブル、および、接続状態の前記他の試験用ケーブルを表示し、さらに準備未完了だった前記第１の試験用ケーブルが揃い、未接続状態の前記第１の試験用ケーブルが接続状態へ移行したことの状況を反映して前記接続図を更新して表示することを特徴とする試験システム。
【請求項２】
被試験器に対して複数の試験項目の試験を行う試験装置と、
前記被試験器と前記試験装置とを接続する複数の試験用ケーブルと、を有する試験システムであって、
前記複数の各試験用ケーブルに装着され、各試験用ケーブルを識別するための識別情報を記憶した記憶媒体と、
前記複数の各試験用ケーブルに装着された前記記憶媒体から、前記識別情報を読み取る読み取り装置と、
前記読み取り装置により読み取られた前記識別情報に基づいて生成した前記複数の各試験用ケーブルの有無情報と、前記複数の各試験項目で使用する試験用ケーブルの識別情報とを照合し、前記複数の各試験項目で使用する試験用ケーブルの有無状況を判断する試験用ケーブル有無判断部と、
前記試験用ケーブル有無判断部の結果に基づいて、前記複数の各試験項目で使用する試験用ケーブルのうち、第１の試験用ケーブルがない場合は、前記被試験器と前記試験装置との間を接続する前記第１の試験用ケーブルが未接続状態であることと、前記被試験器と前記試験装置との間を接続する前記第１の試験用ケーブル以外の他の試験用ケーブルが接続状態であることと、前記第１の試験用ケーブルが未接続状態から接続状態へ移行したことを示す接続図を表示する接続図更新部と、を有し、
前記接続図更新部は、未接続状態の前記第１の試験用ケーブル、および、接続状態の前記他の試験用ケーブルを表示し、さらに準備未完了だった前記第１の試験用ケーブルが揃い、未接続状態の前記第１の試験用ケーブルが接続状態へ移行したことの状況を反映して前記接続図を更新して表示することを特徴とする試験システム。
【請求項３】
請求項１または２記載の試験システムにおいて、
前記接続図更新部は、準備未完了だった試験用ケーブルが全部揃うまで前記接続図を更新して表示することを特徴とする試験システム。
【発明の詳細な説明】
【技術分野】
【０００１】
本発明は、試験の対象となる被試験器を試験する試験装置を有する試験システムにおいて、特に、被試験器に対して複数の試験項目の試験を行う試験装置の試験項目選択技術に関するものである。
【背景技術】
【０００２】
例えば、被試験器に対して複数の試験項目の試験を行う従来の試験装置では、複数の試験項目の中から試験項目を選択する際には、作業者が任意に各試験項目を実施するか、または実施しないかを選択し、実施を選択した試験項目に対して順に試験を行っている。なお、このような試験装置に関する技術としては、例えば特許文献１に記載される技術などが挙げられる。
【先行技術文献】
【特許文献】
【０００３】
【特許文献１】特開２０１０−２８１７０７号公報
【発明の概要】
【発明が解決しようとする課題】
【０００４】
ところで、上述したような特許文献１を含む従来の試験装置では、試験項目の選択は作業者が任意に実施／未実施の選択を行い、実施の試験項目に対して順に試験を行っている。この試験において、試験項目の内容により使用する試験用ケーブルが異なる場合には、試験用ケーブルが複数必要になるが、以下のような問題が発生することがある。
【０００５】
例えば、全ての試験項目の試験を実施したいが、試験開始時に接続する試験用ケーブルが揃っていないため、試験を最後まで実施できなかった。具体的には、試験を開始したが、試験の途中で試験用ケーブルの交換指示があり、その試験用ケーブルが修理などで欠品なため、その試験用ケーブルを使用する試験項目が実施できず、試験を中断しなければならなかった。
【０００６】
このように、従来の試験装置では、試験項目の内容により使用する試験用ケーブルが異なり、試験用ケーブルが複数必要になる場合には、その試験の効率が悪く、その改善が望まれている。
【０００７】
そこで、本発明は前述した問題に鑑みてなされたものであり、その代表的な目的は、被試験器に対して複数の試験項目の試験を行う試験装置の試験項目選択技術において、この試験の効率を向上させることができる試験システムを提供することにある。
【０００８】
本発明の前記ならびにその他の目的と新規な特徴は、本明細書の記述および添付図面から明らかになるであろう。
【課題を解決するための手段】
【０００９】
本願において開示される発明のうち、代表的なものの概要を簡単に説明すれば、次のとおりである。
【００１０】
すなわち、代表的な試験システムは、被試験器に対して複数の試験項目の試験を行う試験装置と、前記被試験器と前記試験装置とを接続する複数の試験用ケーブルと、を有する試験システムであって、以下のような特徴を有するものである。
【００１１】
（１）前記複数の各試験用ケーブルに装着され、各試験用ケーブルを識別するための識別情報を記憶した記憶媒体と、前記複数の各試験用ケーブルに装着された前記記憶媒体から、前記識別情報を読み取る読み取り装置と、前記読み取り装置により読み取られた前記識別情報に基づいて生成した前記複数の各試験用ケーブルの有無情報と、前記複数の各試験項目で使用する試験用ケーブルの識別情報とを照合し、前記複数の各試験項目で使用する試験用ケーブルの有無状況を判断する試験用ケーブル有無判断部と、前記試験用ケーブル有無判断部の結果に基づいて、前記複数の各試験項目で使用する試験用ケーブルのうち、第１の試験用ケーブルがない場合は、前記被試験器の試験の前記複数の試験項目を試験画面に表示して作業者に試験項目の選択を促すための試験項目選択列の前記第１の試験用ケーブルを使用する試験項目に、前記第１の試験用ケーブルがないことを示す記号を表示する試験用ケーブル無表示部と、を有することを特徴とする。
【００１２】
さらに好適には、前記試験用ケーブル無表示部で表示された前記試験項目選択列の前記記号が前記作業者により選択・実行されることで、前記被試験器と前記試験装置との間を接続する前記第１の試験用ケーブルが未接続状態であることと、前記被試験器と前記試験装置との間を接続する前記第１の試験用ケーブル以外の他の試験用ケーブルが接続状態であることと、前記第１の試験用ケーブルが未接続状態から接続状態へ移行したことを示す接続図を表示する接続図更新部を有することを特徴とする。
【００１３】
（２）前記複数の各試験用ケーブルに装着され、各試験用ケーブルを識別するための識別情報を記憶した記憶媒体と、前記複数の各試験用ケーブルに装着された前記記憶媒体から、前記識別情報を読み取る読み取り装置と、前記読み取り装置により読み取られた前記識別情報に基づいて生成した前記複数の各試験用ケーブルの有無情報と、前記複数の各試験項目で使用する試験用ケーブルの識別情報とを照合し、前記複数の各試験項目で使用する試験用ケーブルの有無状況を判断する試験用ケーブル有無判断部と、前記試験用ケーブル有無判断部の結果に基づいて、前記複数の各試験項目で使用する試験用ケーブルのうち、第１の試験用ケーブルがない場合は、前記被試験器と前記試験装置との間を接続する前記第１の試験用ケーブルが未接続状態であることと、前記被試験器と前記試験装置との間を接続する前記第１の試験用ケーブル以外の他の試験用ケーブルが接続状態であることと、前記第１の試験用ケーブルが未接続状態から接続状態へ移行したことを示す接続図を表示する接続図更新部と、を有することを特徴とする。
【発明の効果】
【００１４】
本願において開示される発明のうち、代表的なものによって得られる効果を簡単に説明すれば以下のとおりである。
【００１５】
すなわち、代表的な効果は、被試験器に対して複数の試験項目の試験を行う試験装置の試験項目選択技術において、この試験の効率を向上させることができる試験システムを提供することが可能となる。
【図面の簡単な説明】
【００１６】
【図１】本発明の一実施の形態に係る試験システムの構成の一例を示す図である。
【図２】本発明の一実施の形態に係る試験システムにおいて、制御器のハードウェア構成の一例を示す図である。
【図３】本発明の一実施の形態に係る試験システムにおいて、試験用ケーブルの一例を示す図である。
【図４】本発明の一実施の形態に係る試験システムにおいて、制御器において動作するソフトウェア構成の一例を示す図である。
【図５】本発明の一実施の形態に係る試験システムにおいて、制御器によって表示される接続図を示す図であり、（ａ）は試験用ケーブルの接続図の一例を示し、（ｂ）は接続図に対応した試験用ケーブルによる被試験器と試験装置との接続形態の一例を示す。
【図６】本発明の一実施の形態に係る試験システムにおいて、制御器によって表示される機能性能試験画面の一例を示す図である。
【図７】本発明の一実施の形態に係る試験システムにおいて、制御器において動作する試験実行プログラムによる試験項目選択処理の流れの一例を示すフロー図である。
【図８】本発明の一実施の形態に係る試験システムにおいて、試験項目毎の使用試験用ケーブル一覧テーブルの一例を示す図である。
【図９】本発明の一実施の形態に係る試験システムにおいて、試験項目毎の使用試験用ケーブル識別情報テーブルの一例を示す図である。
【図１０】本発明の一実施の形態に係る試験システムにおいて、試験用ケーブル有無情報テーブルの一例を示す図である。
【発明を実施するための形態】
【００１７】
以下の実施の形態においては、便宜上その必要があるときは、複数の実施の形態またはセクションに分割して説明するが、特に明示した場合を除き、それらは互いに無関係なものではなく、一方は他方の一部または全部の変形例、詳細、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でも良い。
【００１８】
さらに、以下の実施の形態において、その構成要素（要素ステップ等も含む）は、特に明示した場合および原理的に明らかに必須であると考えられる場合等を除き、必ずしも必須のものではないことは言うまでもない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。このことは、上記数値および範囲についても同様である。
【００１９】
［本発明の実施の形態の概要］
本発明の実施の形態に係る試験システム（一例として、（）内に対応する構成要素、符号などを付記）は、被試験器（２０）に対して複数の試験項目の試験を行う試験装置（１０）と、前記被試験器と前記試験装置とを接続する複数の試験用ケーブル（３０）と、を有する試験システムであって、以下のような特徴を有するものである。
【００２０】
（１）前記複数の各試験用ケーブルに装着され、各試験用ケーブルを識別するための識別情報を記憶した記憶媒体（ＲＦＩＤタグ４０）と、前記複数の各試験用ケーブルに装着された前記記憶媒体から、前記識別情報を読み取る読み取り装置（リーダ１８０）と、前記読み取り装置により読み取られた前記識別情報に基づいて生成した前記複数の各試験用ケーブルの有無情報と、前記複数の各試験項目で使用する試験用ケーブルの識別情報とを照合し、前記複数の各試験項目で使用する試験用ケーブルの有無状況を判断する試験用ケーブル有無判断部（１３５）と、前記試験用ケーブル有無判断部の結果に基づいて、前記複数の各試験項目で使用する試験用ケーブルのうち、第１の試験用ケーブルがない場合は、前記被試験器の試験の前記複数の試験項目を試験画面に表示して作業者に試験項目の選択を促すための試験項目選択列の前記第１の試験用ケーブルを使用する試験項目に、前記第１の試験用ケーブルがないことを示す記号を表示する試験用ケーブル無表示部（１３６）と、を有することを特徴とする。
【００２１】
さらに好適には、前記試験用ケーブル無表示部で表示された前記試験項目選択列の前記記号が前記作業者により選択・実行されることで、前記被試験器と前記試験装置との間を接続する前記第１の試験用ケーブルが未接続状態であることと、前記被試験器と前記試験装置との間を接続する前記第１の試験用ケーブル以外の他の試験用ケーブルが接続状態であることと、前記第１の試験用ケーブルが未接続状態から接続状態へ移行したことを示す接続図を表示する接続図更新部（１３７）を有することを特徴とする。
【００２２】
（２）前記複数の各試験用ケーブルに装着され、各試験用ケーブルを識別するための識別情報を記憶した記憶媒体（ＲＦＩＤタグ４０）と、前記複数の各試験用ケーブルに装着された前記記憶媒体から、前記識別情報を読み取る読み取り装置（リーダ１８０）と、前記読み取り装置により読み取られた前記識別情報に基づいて生成した前記複数の各試験用ケーブルの有無情報と、前記複数の各試験項目で使用する試験用ケーブルの識別情報とを照合し、前記複数の各試験項目で使用する試験用ケーブルの有無状況を判断する試験用ケーブル有無判断部（１３５）と、前記試験用ケーブル有無判断部の結果に基づいて、前記複数の各試験項目で使用する試験用ケーブルのうち、第１の試験用ケーブルがない場合は、前記被試験器と前記試験装置との間を接続する前記第１の試験用ケーブルが未接続状態であることと、前記被試験器と前記試験装置との間を接続する前記第１の試験用ケーブル以外の他の試験用ケーブルが接続状態であることと、前記第１の試験用ケーブルが未接続状態から接続状態へ移行したことを示す接続図を表示する接続図更新部（１３７）と、を有することを特徴とする。
【００２３】
上述した本発明の実施の形態の概要に基づいた本発明の一実施の形態を、以下において、図面に基づいて詳細に説明する。なお、実施の形態を説明するための全図において、同一の部材には原則として同一の符号を付し、その繰り返しの説明は省略する。
【００２４】
［本発明の一実施の形態］
本発明の一実施の形態に係る試験システムを、図１〜図１０を用いて説明する。
【００２５】
＜試験システムの構成＞
本実施の形態に係る試験システムを、図１を用いて説明する。図１は、この試験システムの構成の一例を示す図である。
【００２６】
図１に示すように、本実施の形態に係る試験システム１は、試験装置１０と被試験器２０とが複数の試験用ケーブル３０を介して接続されて構成されている。被試験器２０は、試験装置１０によって実行される試験の対象となる。試験装置１０は、計算機１００、測定器１５０（１５０−１〜１５０−Ｎ、Ｎは１以上の整数、Ｎがそれぞれ常に同じ数とは限らない）、専用試験器１６０および切替部１７０から構成されている。また、試験装置１０の近傍には、試験用ケーブル３０に装着された記憶媒体の一例であるＲＦＩＤタグ４０に記憶されている識別情報を読み取る読み取り装置であるリーダ１８０が設けられている。
【００２７】
計算機１００は、制御器１１０と被試験器用コントローラ１２０とがＰＣ間制御ラインを介して接続されて構成されており、所定の試験を実行する。また、計算機１００は、試験用のソフトウェアを記憶しており、試験を実施する際には、被試験器２０と試験装置１０とが試験用ケーブル３０（例えば、電源ケーブル、ＲＦケーブル、通信用ケーブルなど）で接続される。試験に使用される試験用ケーブル３０の種類は複数あり、また、試験用ケーブル３０は、被試験器２０毎に、さらに、試験項目毎に異なる種類の試験用ケーブル３０が複数使用される。
【００２８】
制御器１１０は、例えばコンピュータであり、切替部１７０および測定器１５０を制御する。具体的には、制御器１１０は、試験内容に応じて使用する測定器１５０に試験内容を入力させるように測定経路を切り替えるため、切替部１７０に対して、切替信号を送信する。また、制御器１１０は、試験装置１０と被試験器２０とを接続する複数の試験用ケーブル３０がどのように接続されるべきかを示す接続図（図５を用いて後述する）を表示する。なお、接続図は制御器１１０ではなく、被試験器用コントローラ１２０が表示するようにしても良い。さらに、制御器１１０は、上述した機能を有する他、図４を用いて後述する、被試験器２０の選択、試験項目の選択などを含む試験実行機能などを有する。
【００２９】
被試験器用コントローラ１２０は、例えばコンピュータであり、被試験器２０に対して測定条件を示す信号（測定条件信号）を入力させる。測定条件信号を受信した被試験器２０は、所定の試験を実行され、試験結果である試験信号を、切替部１７０を介して測定器１５０または専用試験器１６０に対して出力する。測定器１５０は、汎用の測定機器であって、計算機１００が実行する試験で使用され、被試験器２０から出力された試験信号を、切替部１７０を介して受信して所定の測定を行う。専用試験器１６０は、各被試験器２０（および各試験項目）について専用に使用される試験器であって、被試験器２０から出力された試験信号を、切替部１７０を介して受信して所定の測定を行う。
【００３０】
切替部１７０は、制御器１１０から切替制御ラインを介して入力される切替信号に従って、被試験器２０と測定器１５０および専用試験器１６０との測定経路を切り替える。例えば、切替部１７０は、被試験器２０からの試験信号が測定器１５０−１によって測定されるべき場合は、その試験信号が伝送される試験用ケーブル３０と測定器１５０−１とが電気的に接続されるように経路を切り替える。
【００３１】
また、切替部１７０は、測定器１５０と被試験器２０とを接続する測定器接続部１７１と、専用試験器１６０と被試験器２０とを接続する専用試験器接続部１７２とを有する。測定器接続部１７１は、一方が測定器１５０と接続されており、また、他方には、被試験器２０との試験信号の通信に使用される試験用ケーブル３０を接続するための端子を有する。専用試験器接続部１７２は、一方が専用試験器１６０と接続されており、また、他方には、被試験器２０との試験信号の通信に使用される試験用ケーブル３０を接続するための端子を有している。
【００３２】
＜制御器のハードウェア構成と試験用ケーブル＞
前述した制御器１１０のハードウェア構成と試験用ケーブル３０を、図２および図３を用いて説明する。図２は、この制御器１１０のハードウェア構成の一例を示す図であり、図３は、この試験用ケーブル３０の一例を示す図である。
【００３３】
図２に示すように、制御器１１０は、ＣＰＵ１１２およびメモリ１１３などを含む本体１１１、キーボードおよび表示装置などを含む入出力装置１１４、他の装置との通信を行う通信装置１１５、および、ＣＤ装置およびＨＤＤ装置など、記録媒体１１７に対するデータの記録および再生を行う記録装置１１６から構成される。つまり、制御器１１０は、情報処理および他の装置との通信が可能なコンピュータとしてのハードウェア構成部分を有している。
【００３４】
図３に示すように、試験用ケーブル３０は、ＲＦＩＤタグ４０が設けられている。ＲＦＩＤタグ４０は、ＲＦＩＤ方式の記憶媒体であって、各試験用ケーブル３０を識別するための識別情報を記憶する。この試験用ケーブル３０の識別情報は、例えば図５に示したＷ１やＷ２などとすることができる。
【００３５】
このＲＦＩＤタグ４０と前述したリーダ１８０との間では、リーダ１８０は、ＲＦＩＤタグ４０に電波信号を送信し、これを受けて、ＲＦＩＤタグ４０は、リーダ１８０からの電波信号を整流することによって、必要な電力が供給される。また、リーダ１８０は、試験用ケーブル３０の識別情報を送信させることを示す質問データをＲＦＩＤタグ４０に送信し、これを受けて、ＲＦＩＤタグ４０は、その質問に応じて、試験用ケーブル３０の識別情報をリーダ１８０に対して送信する。これにより、リーダ１８０は、ＲＦＩＤタグ４０から試験用ケーブル３０の識別情報を読み取る。さらに、リーダ１８０は、読み取った試験用ケーブル３０の識別情報を制御器１１０に対して送信する。
【００３６】
＜制御器において動作するソフトウェア構成＞
前述した制御器１１０において動作するソフトウェア構成を、図４を用いて説明する。図４は、この制御器１１０において動作するソフトウェア構成の一例を示す図である。
【００３７】
図４に示すように、コンピュータである制御器１１０において動作するソフトウェア構成の試験実行プログラム１３０は、試験用ケーブル関連情報記憶部１３１、被試験器選択情報受信部１３２、接続図表示部１３３、試験用ケーブル識別情報受信部１３４、試験用ケーブル有無判断部１３５、試験用ケーブル無表示部１３６、接続図更新部１３７などから構成される。
【００３８】
この試験実行プログラム１３０は、例えば、前述した制御器１１０のハードウェア構成を利用し、記録媒体１１７を介して制御器１１０に供給され、メモリ１１３にロードされ、制御器１１０にインストールされたＯＳ上で、制御器１１０のハードウェア資源を具体的に利用して実行される。
【００３９】
試験用ケーブル関連情報記憶部１３１は、試験用ケーブル３０の識別情報に基づいて生成した各試験用ケーブル３０の有無情報（図１０を用いて後述する）、試験項目毎に使用する試験用ケーブル３０の一覧情報（図８を用いて後述する）、この試験項目毎に使用する試験用ケーブル３０の一覧情報に基づいて生成した各試験項目で使用する試験用ケーブル３０の識別情報（図９を用いて後述する）などを記憶するテーブルである。
【００４０】
被試験器選択情報受信部１３２は、入出力装置１１４（キーボード）からの被試験器２０の選択、試験項目の選択などの各情報を受信するプログラムである。
【００４１】
接続図表示部１３３は、被試験器２０の選択情報が入力された際に、被試験器２０と試験装置１０との間を接続する試験用ケーブル３０の接続図や、この接続図に対応した試験用ケーブル３０による被試験器２０と試験装置１０との接続形態を、入出力装置１１４（表示装置）へ表示するプログラムである。
【００４２】
試験用ケーブル識別情報受信部１３４は、リーダ１８０により読み取られた試験用ケーブル３０の識別情報を受信するプログラムである。このリーダ１８０では、各試験用ケーブル３０に装着されたＲＦＩＤタグ４０から、このＲＦＩＤタグ４０に記憶されている各試験用ケーブル３０の識別情報が読み取られる。
【００４３】
試験用ケーブル有無判断部１３５は、試験用ケーブル識別情報受信部１３４からの情報と、試験用ケーブル関連情報記憶部１３１に記憶している情報とに基づいて、試験用ケーブル３０の有無状況を判断するプログラムである。例えば、試験用ケーブル識別情報受信部１３４で受信した試験用ケーブル３０の識別情報に基づいて、各試験用ケーブル３０の有無情報（図１０）が生成される。また、試験用ケーブル関連情報記憶部１３１に記憶している試験項目毎に使用する試験用ケーブルの一覧情報（図８）に基づいて、各試験項目で使用する試験用ケーブルの識別情報（図９）が生成される。そして、生成された各試験用ケーブルの有無情報と各試験項目で使用する試験用ケーブルの識別情報とを照合し、各試験項目で使用する試験用ケーブルの有無状況を判断する。
【００４４】
試験用ケーブル無表示部１３６は、試験用ケーブル有無判断部１３５の結果に基づいて、各試験項目で使用する試験用ケーブル３０のうち、例えば第１の試験用ケーブル３０がない場合は、被試験器２０の試験の複数の試験項目を試験画面に表示して作業者に試験項目の選択を促すための試験項目選択列の第１の試験用ケーブル３０を使用する試験項目に、この第１の試験用ケーブル３０がないことを示す記号を、入出力装置１１４（表示装置）へ表示するプログラムである。
【００４５】
接続図更新部１３７は、試験用ケーブル無表示部１３６で表示された試験項目選択列の記号が作業者により選択・実行されることで、被試験器２０と試験装置１０との間を接続する未接続状態の試験用ケーブル３０、接続状態の試験用ケーブル３０を表示し、さらに未接続状態の試験用ケーブル３０が接続状態へ移行したことの状況を反映して接続図を更新して表示するプログラムである。
【００４６】
＜接続図＞
前述した制御器１１０によって表示される接続図を、図５を用いて説明する。図５は、この接続図を示す図であり、（ａ）は試験用ケーブル３０の接続図の一例を示し、（ｂ）は接続図に対応した試験用ケーブル３０による被試験器２０と試験装置１０との接続形態の一例を示す。この図５に示す接続図は、例えば試験対象となる被試験器２０が選択され、作業者に、この選択された被試験器２０の試験で使用する試験用ケーブル３０を準備させる時に表示される。図５において、Ｗ１〜Ｗ２は各試験用ケーブル３０を識別するための識別情報である。
【００４７】
図５（ａ）に示すように、試験用ケーブル３０の接続図では、試験用ケーブルＷ１の片側の端部が被試験器２０の端子Ｐ１，Ｐ２，Ｐ３に接続され、他方の端部が測定器接続部１７１の端子Ｊ１，Ｊ２に接続される。また、試験用ケーブルＷ２の片側の端部が被試験器２０の端子Ｐ２０に接続され、他方の端部が専用試験器接続部１７２の端子Ｊ１０に接続される。
【００４８】
作業者は、制御器１１０に表示された接続図を確認することによって、図５（ｂ）に示すように、試験用ケーブルＷ１，Ｗ２を被試験器２０と測定器接続部１７１および専用試験器接続部１７２に接続する。ここで、試験実施中に試験項目単位で、作業者による試験用ケーブル３０の交換作業が発生する場合もある。このようなとき、従来技術では、試験の途中で試験用ケーブル３０の交換指示があり、その試験用ケーブル３０が修理などで欠品な場合には、その試験用ケーブル３０を使用する試験項目が実施できず、試験を中断しなければならなかった。このような試験の効率が悪くなるという問題を、本実施の形態においては、図６や図７などを用いて後述するように解決するものである。
【００４９】
＜機能性能試験画面＞
前述した制御器１１０によって表示される機能性能試験画面を、図６を用いて説明する。図６は、この機能性能試験画面の一例を示す図である。この図６に示す機能性能試験画面は、被試験器２０の機能性能を試験するための画面であり、例えば、前述した図５の表示に基づいて作業者により被試験器２０の試験で使用する試験用ケーブル３０の準備が完了し、リーダ１８０による試験用ケーブル３０の有無チェックにおいて、この使用する試験用ケーブル３０の有無状況が判定された時に表示される。
【００５０】
図６に示すように、機能性能試験画面には、試験項目、要求基準、前回測定値、今回測定値、単位、判定の各項目が一覧表にして表示される。試験項目は、例えば図６のように、上位の階層で、送信電力、送信周波数確度、変調能力などの項目に分けられ、さらに、その下位の階層で、例えば送信電力の例では、ＶＨＦ／ＡＭ−１１８．０５０ＭＨｚ，…，１３１．５００ＭＨｚ、ＵＨＦ／ＡＭ−２２５．１００ＭＨｚ，…，３０５．７００ＭＨｚ、ＶＨＦ／ＦＭ−Ｈｉ−１５８．８００ＭＨｚ，…，Ｌｏｗ−１５６．８００ＭＨｚなどの項目に分けられている。他の送信周波数確度、変調能力の下位の階層でも、図６に示す通りに分けられている。
【００５１】
図６に示す試験項目は、後述する図８の試験項目との対応として、上位の階層の項目は試験項目Ａ，Ｂ，…，Ｚと記載し、下位の階層の項目は試験番号１，２，…，ｎと記載して、対応させるものとする。
【００５２】
また、機能性能試験画面には、試験項目の左側に、試験項目選択列がある。従来技術では、この試験項目選択列に示す任意の行をクリック毎に表示を“  ”（空白）、“×”と交互に表示し、“×”と設定されている項目は試験の実施を行わないものとしていた。この時、作業者は、試験項目名から試験内容を判断し、試験の実施／未実施を選択しているため、試験を実施する際に必要な試験用ケーブル３０の有無を考慮した試験実施項目とならず、その試験用ケーブル３０が故障などで欠品の場合には、試験実施後の試験用ケーブル３０の交換指示により、試験が実施できないことが分かった。
【００５３】
そこで、本実施の形態では、ＲＦＩＤタグ４０を用い、事前に被試験器２０の試験で使用する試験用ケーブル３０の有無情報を取得する。そして、試験メニューより機能性能試験画面を選択し、機能性能試験画面を表示する際に、試験内容と試験用ケーブル３０の有無情報を用い、欠品の試験用ケーブル３０を使用する試験項目選択列にはあらかじめ試験不可能を表す“！”を表示し、試験を実施するか否かを作業者の判断にゆだねることを表す。
【００５４】
通常、試験選択は、試験項目選択列に示す任意の行をクリック毎に表示を“  ”（空白）、“×”と交互に表示しているが、本実施の形態においては、前述の処理により、“！”が表示されている場合には、“  ”（空白）、“×”、“！”を順に表示するものとし、“！”が表示されている試験項目も、作業者の判断により試験未実施状態とする。
【００５５】
＜試験項目選択処理＞
前述した制御器１１０において動作する試験実行プログラム１３０による試験項目選択処理を、図７を用いて説明する。図７は、この試験項目選択処理の流れの一例を示すフロー図である。さらに、図８〜図１０を参照しながら説明する。それぞれ、図８は試験項目毎の使用試験用ケーブル一覧テーブル、図９は試験項目毎の使用試験用ケーブル識別情報テーブル、図１０は試験用ケーブル有無情報テーブルの一例を示す図である。
【００５６】
ここでは、試験項目毎に試験用ケーブル３０が異なることを想定する。また、試験用ケーブル３０の有無による試験実施可能／不可能の判断をするために、図８に示すような試験項目毎に使用する試験用ケーブル３０の一覧を格納したテーブルを用意する。図８に示す試験項目毎の使用試験用ケーブル一覧テーブルには、試験項目として、上位の階層の試験項目Ａ，Ｂ，…，Ｚと、下位の階層の試験番号１，２，…，ｎと、各試験項目Ａ１，Ａ２，…，Ａｎ，Ｂ１，Ｂ２，…，Ｂｎ，…，Ｚ１，Ｚ２，…，Ｚｎで使用する試験用ケーブルとが格納されている。図８の例では、試験項目Ａ１では試験用ケーブルＷ１，Ｗ２、試験項目Ａ２では試験用ケーブルＷ３、試験項目Ａｎでは試験用ケーブルＷ１，Ｗ２，Ｗ４が使用される。他の各試験項目Ｂ１，Ｂ２，…，Ｂｎ，…，Ｚ１，Ｚ２，…，Ｚｎでも、図８に示す各試験用ケーブルが使用される。
【００５７】
また、試験用ケーブル３０の有無情報は、リーダ１８０によりＲＦＩＤタグ４０から読み取って取得して、図１０に示すような試験用ケーブル有無情報テーブルを用意する。図１０に示す試験用ケーブル有無情報テーブルには、試験用ケーブル３０の識別情報Ｗ１，Ｗ２，…，Ｗｍと、試験用ケーブル３０のあり（○）／なし（×）を示す有無情報とが格納されている。
【００５８】
この試験項目選択処理は、試験実行プログラム１３０の試験用ケーブル有無判断部１３５と試験用ケーブル無表示部１３６などにより実行される。
【００５９】
（ステップＳ１）  被試験器２０の試験において、試験項目Ａ１，Ａ２，…，Ａｎ，Ｂ１，Ｂ２，…，Ｂｎ，…，Ｚ１，Ｚ２，…，Ｚｎがある場合に、順序カウンタをｎ＝１に設定する。
【００６０】
（ステップＳ２）  試験項目毎の使用試験用ケーブル一覧テーブル（図８）より、試験項目（最初は試験項目Ａ１）の試験で使用する試験用ケーブル３０の識別情報を取得する。例えば、図８の試験項目Ａ１の例では、試験用ケーブル３０の識別情報としてＷ１，Ｗ２を取得する。この時点で、図９に示す試験項目毎の使用試験用ケーブル識別情報テーブルには、試験用ケーブル３０の識別情報Ｗ１，Ｗ２に使用（○）示す情報が格納される。
【００６１】
（ステップＳ３）  ステップＳ２で取得した試験用ケーブル３０の識別情報（図９）と、リーダ１８０によりＲＦＩＤタグ４０から読み取って取得した識別情報（図１０）とを比較し、該当する試験用ケーブル３０があるか否かを判定する。例えば、上述したステップＳ２の例では、取得した試験用ケーブル３０の識別情報Ｗ１，Ｗ２と、リーダ１８０によりＲＦＩＤタグ４０から読み取って取得した識別情報（図１０では、識別情報Ｗ１があり（○）、識別情報Ｗ２がなし（×）の場合）とを比較すると、識別情報Ｗ１の試験用ケーブル３０があり、識別情報Ｗ２の試験用ケーブル３０がないことが分かる。
【００６２】
（ステップＳ４）  ステップＳ５での判定の結果、該当する試験用ケーブル３０がある場合（Ｓ３−Ｙ）には、試験実施可能と判断する。例えば、上述したステップＳ３の例では、識別情報Ｗ２の試験用ケーブル３０がないので、このステップＳ４は当てはまらない。
【００６３】
（ステップＳ５）  一方、ステップＳ５での判定の結果、該当する試験用ケーブル３０がない場合（Ｓ３−Ｎ）は、試験実施不可能と判断する。例えば、上述したステップＳ３の例では、識別情報Ｗ２の試験用ケーブル３０がないので、試験項目Ａ１の試験は実施不可能となる。
【００６４】
（ステップＳ６）  ステップＳ５で試験実施不可能と判断した後、試験画面の当該試験項目の試験項目選択列に、試験用ケーブル３０がないことを示す記号として、“！”を表示する。例えば、上述したステップＳ５の例では、試験項目Ａ１の試験項目選択列に“！”を表示することになる。
【００６５】
（ステップＳ７）  ステップＳ４で試験実施可能と判断した後、また、ステップＳ６で“！”を表示した後、最後の試験項目Ｚｎか否かを判定する。
【００６６】
（ステップＳ８）  ステップＳ７での判定の結果、最後の試験項目Ｚｎでない場合（Ｓ７−Ｎ）には、順序カウンタをインクリメント（ｎ＝ｎ＋１）して、試験項目Ａ２，…，Ａｎ，Ｂ１，Ｂ２，…，Ｂｎ，…，Ｚ１，Ｚ２，…，Ｚｎの順で、最後の試験項目Ｚｎとなるまで（Ｓ７−Ｙ）、ステップＳ２からの処理を繰り返し行う。
【００６７】
以上のようにして、試験項目の先頭から順に当該試験項目にて使用する試験用ケーブル３０の識別情報を取得し、この取得したケーブル情報とＲＦＩＤタグ４０から読み取って取得したケーブル情報とをチェックし、該当する試験用ケーブル３０がない場合は、当該試験項目の試験項目選択列に試験用ケーブル３０がないことを示す“！”を表示することができる。
【００６８】
＜試験の実行＞
本実施の形態に係る試験システム１において、前述した試験項目選択処理も含めた試験の実行は、以下の流れで実行される。
【００６９】
（１）  作業者は、被試験器２０の一覧から試験対象の被試験器２０を選択する。
【００７０】
（２）  作業者により被試験器２０が選択されると、試験実行プログラム１３０の被試験器選択情報受信部１３２と接続図表示部１３３は、被試験器２０と試験装置１０とを接続する試験用ケーブル３０の接続一覧を示す情報から、前述した図５に示すような接続図（被試験器２０と試験装置１０の測定器接続部１７１および専用試験器接続部１７２とを接続する試験用ケーブル３０の接続図）を表示する。
【００７１】
（３）  作業者は、表示された接続図を見て、被試験器２０の試験に必要な試験用ケーブル３０を準備する。準備が完了したら、準備完了ボタンを押す。
【００７２】
（４）  作業者は、試験用ケーブル３０の準備完了後に、リーダ１８０を用いて、上記において準備した試験用ケーブル３０をスキャンして、試験用ケーブル３０の有無をチェックする。
【００７３】
（５）  このリーダ１８０による試験用ケーブル３０のスキャン結果を受けて、試験実行プログラム１３０の試験用ケーブル識別情報受信部１３４は、試験用ケーブル３０の有無情報を制御器１１０に送信し、図１０に示すような試験用ケーブル有無情報テーブルに格納する。これと共に、試験用ケーブル３０が準備されていないものは、準備未完了が分かるように、例えば、接続図上の試験用ケーブル３０の色を黒文字・黒線から赤文字・赤線に変更する。
【００７４】
（６）  試験用ケーブル３０の有無情報が試験用ケーブル有無情報テーブルに格納された後、試験実行プログラム１３０の試験用ケーブル有無判断部１３５と試験用ケーブル無表示部１３６は、次に、前述した図７に示す手順に従い、試験項目選択処理を実行する。
【００７５】
（７）  試験項目選択処理の後に、作業者は、試験用ケーブル３０がなく試験実施不可能と判断されて“！”が表示されている試験項目を除いて、試験実施可能な試験項目のみを選択することができる。これにより、試験を開始し、試験の途中で試験用ケーブル３０の交換指示があっても、その試験用ケーブル３０が欠品となる場合がないので、その試験用ケーブル３０を使用する試験項目を中断することなく試験を続行することができる。
【００７６】
（８）  試験項目選択処理の実行と並行して、試験実行プログラム１３０の接続図更新部１３７は、試験用ケーブル無表示部１３６で表示された試験項目選択列の“！”の記号が作業者により選択・実行されることで、被試験器２０と試験装置１０との間を接続する未接続状態の試験用ケーブル３０、接続状態の試験用ケーブル３０を表示し、さらに準備未完了だった試験用ケーブル３０が揃い、未接続状態の試験用ケーブル３０が接続状態へ移行したことの状況を反映して接続図を更新して表示する。この接続図の更新は、例えば、接続図上の試験用ケーブル３０の色を赤文字・赤線から黒文字・黒線に戻すことで、作業者に分かるようにすることができる。
【００７７】
＜本実施の形態の効果＞
以上説明した本実施の形態によれば、以下のような効果を得ることができる。
【００７８】
（１）ＲＦＩＤタグ４０、リーダ１８０、試験用ケーブル有無判断部１３５、試験用ケーブル無表示部１３６などを有することで、試験用ケーブル有無判断部１３５で、リーダ１８０により読み取られたＲＦＩＤタグ４０に記憶された識別情報に基づいて生成した各試験用ケーブル３０の有無情報と、各試験項目で使用する試験用ケーブル３０の識別情報とを照合し、各試験項目で使用する試験用ケーブル３０の有無状況を判断し、そして、試験用ケーブル無表示部１３６で、この判断結果に基づいて、第１の試験用ケーブル３０がない場合は、試験画面の試験項目選択列の第１の試験用ケーブル３０を使用する試験項目に、この第１の試験用ケーブル３０がないことを示す記号を表示することができる。
【００７９】
このように、ＲＦＩＤタグ４０を用いたケーブル情報を試験項目の選択時に利用し、第１の試験用ケーブル３０の欠品により測定ができない試験項目の情報を表示することで、試験項目の実施の有無を作業者に選択させることができる。これにより、作業者は、実施できる試験項目のみを選択できるので、無駄な試験の実施を防ぎ、試験を迅速に行えるようになる。この結果、試験の効率を向上させることができる。
【００８０】
（２）上記（１）において、さらに好適には、接続図更新部１３７を有することで、試験項目選択列の記号が選択・実行されることで、接続図更新部１３７で、被試験器２０と試験装置１０との間を接続する第１の試験用ケーブル３０が未接続状態であることと、この第１の試験用ケーブル３０以外の他の試験用ケーブル３０が接続状態であることと、この第１の試験用ケーブル３０が未接続状態から接続状態へ移行したことを示す接続図を表示することができる。これにより、作業者は、欠品していた第１の試験用ケーブル３０が準備できたことが分かり、試験を迅速に行えるようになるので、試験の効率を向上させることができる。
【００８１】
（３）ＲＦＩＤタグ４０、リーダ１８０、試験用ケーブル有無判断部１３５、接続図更新部１３７などを有することで、試験用ケーブル有無判断部１３５で、リーダ１８０により読み取られたＲＦＩＤタグ４０に記憶された識別情報に基づいて生成した各試験用ケーブル３０の有無情報と、各試験項目で使用する試験用ケーブル３０の識別情報とを照合し、各試験項目で使用する試験用ケーブル３０の有無状況を判断し、そして、接続図更新部１３７で、この判断結果に基づいて、第１の試験用ケーブル３０がない場合は、被試験器２０と試験装置１０との間を接続する第１の試験用ケーブル３０が未接続状態であることと、この第１の試験用ケーブル３０以外の他の試験用ケーブル３０が接続状態であることと、この第１の試験用ケーブル３０が未接続状態から接続状態へ移行したことを示す接続図を表示することができる。
【００８２】
このように、ＲＦＩＤタグ４０を用いたケーブル情報を利用し、各試験項目で使用する第１の試験用ケーブル３０の欠品を表示し、さらに、欠品していた第１の試験用ケーブル３０が準備できたことを表示することができる。これにより、作業者は、欠品していた第１の試験用ケーブル３０が準備できたことが分かり、試験を迅速に行えるようになる。この結果、試験の効率を向上させることができる。
【００８３】
＜本実施の形態の変形例＞
（１）接続図更新部１３７による接続図の更新は、試験項目選択列の“！”の記号が作業者により選択・実行されることで表示する以外に、例えば試験項目選択処理と並行して継続的に更新して表示したり、試験用ケーブル３０が全部揃うまで表示するなど、種々の変形が考えられる。また、この記号は、“！”に限らず、試験項目選択列に表示できる記号であれば種々適用可能である。
【００８４】
（２）試験用ケーブル３０の識別情報を記憶する記憶媒体は、ＲＦＩＤタグ４０に限らず、例えばバーコードや二次元コードなどであっても良い。バーコードの場合は、リーダ１８０としてバーコードリーダが用いられる。また、試験用ケーブル３０の識別情報は、ケーブル名称などでも良い。
【００８５】
（３）試験実行プログラム１３０は、被試験器用コントローラ１２０において動作されるようにしても良い。または、制御器１１０と被試験器用コントローラ１２０とを計算機１００として一体に構成して、この計算機１００において動作されるようにしても良い。
【００８６】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００８７】
本発明の試験システムは、被試験器に対して複数の試験項目の試験を行う試験装置の試験項目選択技術に利用可能である。
【符号の説明】
【００８８】
１…試験システム、
１０…試験装置、２０…被試験器、３０…試験用ケーブル、４０…ＲＦＩＤタグ、
１００…計算機、１１０…制御器、１１１…本体、１１２…ＣＰＵ、１１３…メモリ、１１４…入出力装置、１１５…通信装置、１１６…記録装置、１１７…記録媒体、１２０…被試験器用コントローラ、１３０…試験実行プログラム、１３１…試験用ケーブル関連情報記憶部、１３２…被試験器選択情報受信部、１３３…接続図表示部、１３４…試験用ケーブル識別情報受信部、１３５…試験用ケーブル有無判断部、１３６…試験用ケーブル無表示部、１３７…接続図更新部、１５０（１５０−１〜１５０−Ｎ）…測定器、１６０…専用試験器、１７０…切替部、１７１…測定器接続部、１７２…専用試験器接続部、１８０…リーダ。
【図１】
0005925471.tif 000002
【図２】
0005925471.tif 000003
【図３】
0005925471.tif 000004
【図４】
0005925471.tif 000005
【図５】
0005925471.tif 000006
【図６】
0005925471.tif 000007
【図７】
0005925471.tif 000008
【図８】
0005925471.tif 000009
【図９】
0005925471.tif 000010
【図１０】
0005925471.tif 000011